(57)【要約】【課題】記録ヘッドに対するプラテンの平行度を簡単な構成で簡単に調整できるようにする。【解決手段】プラテン６とプラテン支持体１６との間に、プラテン６をＹ軸に対して垂直な平面に沿って回動する方向に案内する案内面を有するガイド体２２と、このガイド体２２にこれの案内面に倣ってスライド自在に係合する係合部２４と、プラテン６を任意の傾斜角度でプラテン支持体１６にキャップねじ２８によって固定するプラテン固定機構とを設ける。【選択図】図１
2004330578.tif 000002
【特許請求の範囲】
【請求項１】
基台にプラテン支持体を介して支持されたプラテン上のプリント媒体を、用紙搬送機構により所定方向に搬送する一方、記録ヘッドによって、前記プラテン上でプリント媒体を横切るＹ軸方向にプリント媒体に印字作画を行うようにした記録装置であって、前記プラテンと前記プラテン支持体との間に、前記プラテンを回動する方向に案内する案内面を有するガイド体と、該ガイド体にこれの案内面に倣ってスライド自在に係合する係合部と、前記プラテンを任意の傾斜角度で前記プラテン支持体に固定するプラテン固定機構とを設けたことを特徴とする記録装置用プラテン支持装置。
【請求項２】
前記案内面は、前記プラテンを前記Ｙ軸に対して垂直な平面に沿って回動する方向に案内するように配置されていることを特徴とする請求項１に記載の記録装置用プラテン支持装置。
【請求項３】
前記ガイド体を前記プラテン支持体又はプラテン側に固設した半円柱体により構成し、前記係合部を前記プラテン側又はプラテン支持体側に形成した前記半円柱体の曲面とほぼ同一曲率の凹曲面により構成したことを特徴とする請求項１又は請求項２に記載の記録装置用プラテン支持装置。
【請求項４】
前記ガイド体を前記プラテン支持体と前記プラテンとの間に配置した丸棒により構成したことを特徴とする請求項１又は請求項２に記載の記録装置用プラテン支持装置。
【請求項５】
前記プラテン固定機構が、前記プラテン側又はプラテン支持体側に穿設したねじ穴と、該ねじ穴に対向して前記プラテン支持体側又はプラテン側に形成されたねじ挿入用の穴と、ねじ部を前記ねじ挿入用の穴を通して前記ねじ穴にねじ込むことにより前記プラテンを前記プラテン支持体側に固定するための固定用ねじとから構成され、前記ねじ挿入用の穴を長穴又は前記固定ねじより大径な穴とし、前記ねじ穴に螺合する固定ねじが前記ねじ挿入穴内を前記プラテンの前記ガイド体に倣った回動と連動して相対移動可能としたことを特徴とする請求項１に記載の記録装置用プラテン支持装置。
【請求項６】
前記プラテン支持体を前記基台に対して高さ調整可能に取り付けたことを特徴とする請求項１に記載の記録装置用プラテン支持装置。
【請求項７】
前記プラテン支持体を前記基台に対して高さ調整可能及び前記プラテン上の用紙搬送方向に対して垂直な平面に沿って回動調整可能に取り付けたことを特徴とする請求項２に記載の記録装置用プラテン支持装置。
【発明の詳細な説明】
【０００１】
【発明の属する技術分野】
本発明はインクジェットプリンタ等の主として大型の記録装置に用いられるプラテン支持装置に関する。
【０００２】
【従来の技術】
大型インクジェットプリンタなどの記録装置においては、プラテンの高さや傾きなどの調整が極めて重要である。特にインクジェットプリンタなどでは、記録ヘッドの下面とプラテン間の距離は高精度に保持される必要があり、これに誤差があると、印字結果に悪影響が生じる。そこでプラテンの四隅部に突き当て部を設け、各突き当ての上方に、調整ねじが取り付けられたステイを固定し、プラテンは、その下方に配置された付勢ばねによって記録ヘッドと対向する方向に付勢され、付勢ばねの付勢力によって各突き当て部がそれぞれ調整ねじの先端に突き当てられるようにし、プラテンギャップの調整をきわめて容易にし、または不要とする構成が知られている（例えば特許文献１参照）。
また、プラテンに２個のプラテンばねを固定し、各プラテンをプラテンばねによってプラテンベースに押し付け保持し、プラテンベースはプラテン補強部材に固定され、プラテンの中央部に、撓みを調整するためのプラテン調整部材を配置したものが知られている（例えば特許文献２参照）。
また、プラテンを複数のブロックに分けて各ブロックに高さ調整機構を設けたものが知られている（例えば特許文献３参照）。
【０００３】
【特許文献１】
特開２００２−２４８８１９号公報（第１ページ、第３図）
【特許文献２】
特開２００１−２５３１２６号公報（第１ページ、第３図）
【特許文献３】
特開平１１−２０７９４４号公報（第１ページ、第３図）
【０００４】
【発明が解決しようとする課題】
プラテンを記録ヘッドに対して平行に調整可能とするには、従来、複雑な調整機構を必要とし、コストアップの原因となってしまう。
本発明は、簡単な機構によってプラテンの記録ヘッドに対する平行度の調整を簡単に行うことができるようにすることを目的とするものである。
【０００５】
【課題を解決するための手段】
上記目的を達成するため、本発明は、基台にプラテン支持体を介して支持されたプラテン上のプリント媒体を、用紙搬送機構により所定方向に搬送する一方、記録ヘッドによって、前記プラテン上で、プリント媒体を横切るＹ軸方向にプリント媒体に印字作画を行うようにした記録装置であって、前記プラテンと前記プラテン支持体との間に、前記プラテンを回動する方向に案内する案内面を有するガイド体と、該ガイド体にこれの案内面に倣ってスライド自在に係合する係合部と、前記プラテンを任意の傾斜角度で前記プラテン支持体に固定するプラテン固定機構とを設けたものである。
また本発明は、前記案内面が、前記プラテンを前記Ｙ軸に対して垂直な平面に沿って回動する方向に案内するように配置されているものである。
また本発明は、前記ガイド体を前記プラテン支持体又はプラテン側に固設した半円柱体により構成し、前記係合部を前記プラテン側又はプラテン支持体側に形成した前記半円柱体の曲面とほぼ同一曲率の凹曲面により構成したものである。
【０００６】
また本発明は、前記ガイド体を前記プラテン支持体と前記プラテンとの間に配置した丸棒により構成したものである。
また本発明は、前記プラテン固定機構が、前記プラテン側又はプラテン支持体側に穿設したねじ穴と、該ねじ穴に対向して前記プラテン支持体側又はプラテン側に形成されたねじ挿入用の穴と、ねじ部を前記ねじ挿入用の穴を通して前記ねじ穴にねじ込むことにより前記プラテンを前記プラテン支持体側に固定するための固定用ねじとから構成され、前記ねじ挿入用の穴を長穴又は前記固定ねじより大径な穴とし、前記ねじ穴に螺合する固定ねじが前記ねじ挿入穴内を前記プラテンの前記ガイド体に倣った回動と連動して相対移動可能としたものである。
また本発明は、前記プラテン支持体を前記基台に対して高さ調整可能に取り付けたものである。
また本発明は、前記プラテン支持体を前記基台に対して高さ調整可能及び前記プラテン上の用紙搬送方向に対して垂直な平面に沿って回動調整可能に取り付けたものである。
【０００７】
【発明の実施の形態】
以下に本発明の構成を添付した図面を参照して詳細に説明する。
図１、２、３において、２は大型インクジェットプリンタの用紙ガイドであり、印字済みの用紙を機体の前方に案内する前方ガイド４と、用紙の印字施行部分を支持するプラテン６と、機体の後方から印字施行部に向けて用紙を案内する後方ガイド８とから構成されている。用紙ガイド２の前方ガイド４と後方ガイド８は、プリンタ本体の下部基板１０にブラケット（図示省略）を介して固設されている。前記プラテン６は、複数のブロック６ａに分割され、各ブロック６ａの平板部に、用紙搬送方向に沿って延びる凸条１２が複数並列に形成されている。前記凸条１２は、用紙１４を支持し、該用紙１４の浮きを防止するために設けられている。１６は側面形状がＬ型の金属又は樹脂などの板材から成るプラテン支持体であり、前記プラテンブロック６ａの平板部とほぼ同一幅の平板部１８と、該平板部１８に対して直角な垂直部２０を有している。前記平板部１８の横幅方向の両側には一対の半円柱体から成るガイド体２２，２２がその円弧面を上にし、且つ、円弧面がＹ軸に垂直な平面に沿って湾曲するように、一体的に固設されている。前記各プラテンブロック６ａの下面には、前記ガイド体２２，２２の円弧面の一部を受け入れる、該円弧面と同一曲率の、円弧状の凹曲面から成る係合部２４が形成されている。
【０００８】
前記プラテンブロック６ａの係合部２４の直上には、用紙搬送方向Ｘに延びる長穴２６が穿設されている。前記プラテンブロック６ａの上面には、前記ガイド体２２の円弧面と同一曲率の曲面部２７が形成され、前記長穴２６の上端は、この曲面部２７に開口している。前記長穴２６にはキャップねじ２８が挿入され、該キャップねじ２８のねじ部は前記ガイド体２２に穿設されたねじ穴３０に螺合している。前記キャップねじ２８を緩めると、プラテンブロック６ａを、ガイド体２２の円弧面に倣って傾かせることができるように構成されている。前記プラテン支持体１６の垂直部２０には、固定ねじ３２挿入用の高さ調整用長穴３４が穿設されている。３６は断面がＬ型の長尺状の基台であり、用紙搬送方向Ｘに対して直角に配置され、下位水平部が、前記基板１０に固設されたベース材３８に固定されている。前記基台３６の立ち上がり部には、プラテン支持体１６の長穴３４に対応して、ねじ穴４０が穿設されている。前記長穴３４は、基台３６の、対応するねじ穴４０に連通配置され、該状態で長穴３４に座金を介して固定ねじ３２が挿入され、該ねじ３２がねじ穴４０に螺合している。
【０００９】
この固定ねじ３２の締め付け力によって、各プラテン支持体１６は、前記基台３６の垂直部に高さ方向に調整可能に固定されている。また、プラテン支持体１６の長穴３４の短手方向の幅は、固定ねじ３２の径よりも若干広く設定されている。これにより、固定ねじ３２を緩めれば、固定ねじ３２と長穴３４とのガタの範囲内で、プラテン支持体１６を基台３６の立ち上がり部の、用紙搬送方向Ｘに対して垂直な面に沿って、回動することができ、この回動によって、プラテンブロック６ａの平板部の、Ｙ軸に沿ったラインを、記録ヘッド４６の下面の、Ｙ軸に沿ったラインに対して平行に調整することができる。前記プラテンブロック６ａは、プラテン６の前方及び後方の、前方ガイド４、後方ガイド８の各水平部と略同一平面上に位置して、図２に示すように、用紙搬送方向Ｘに対して直角な方向即ち横一列状に接合配置され、用紙１４の横幅の全域をカバーしている。
【００１０】
前記プリンタ本体の上部基板にはＹ軸方向に延びるＹレール４２が架設され、このＹレール４２に移動可能に担体４４が取り付けられ、該担体４４にインクジェット式の記録ヘッド４６が取り付けられている。４８は駆動ローラであり、前記ベース材３８に回転可能に支承されている。５０は加圧ローラであり、前記駆動ローラ４８上の適所に複数配置され、これらは、それぞれ、揺動アーム５２に回転自在に支持されている。前記揺動アーム５２は、プリンタ本体に固設されたブラケットに回転自在に軸（５４）支され、ばね５６によって、図１中、反時計方向に付勢されている。前記駆動ローラ４８上の加圧ローラ５０は、前記ばね５６の力によって、用紙ガイド２上の用紙１４の上から、前記駆動ローラ４８に圧接している。前記駆動ローラ４８は、ベルト及びベルトプーリなどから成る動力伝達機構を介して、コントローラにより制御されるサーボモータに連結している。
上記した構成において、まず、Ｙレール４２に沿って、記録ヘッド４６を移動させ、各プラテンブロック６ａごとに固定ねじ３２を操作し、且つ、治具を用いて、記録ヘッド４６の位置を基準として、記録ヘッド４６とプラテンブロック６ａとの間隔を調整する。
【００１１】
また、プラテンブロック６ａの平板部のＹ軸に沿ったラインを記録ヘッド４６の下面のＹ軸に沿ったラインに対して正確に平行に設定する。更に、各プラテンブロック６ａを、係合部２４を介して、ガイド体２２の円弧面に倣って、Ｙ軸に対して垂直な平面に沿って時計又は反時計方向に回動し、プラテンブロック６ａの平板部の用紙搬送方向Ｘに沿ったラインが、記録ヘッド４６の多数のノズルが開口する下面の、用紙搬送方向Ｘに沿ったラインに対して平行となるように調整を行う。この平行度の調整後、キャップねじ２８をねじ穴３０にねじ込み、各プラテンブロック６ａを対応するプラテン支持体１６に固定する。上記用紙駆動型の記録装置のプリント動作は次のように行われる。
用紙ガイド２上に用紙１４をセットし、プリント動作をスタートすると、コントローラにより制御されるモータによって駆動ローラ４８が用紙搬送方向に回転駆動される。駆動ローラ４８と加圧ローラ５０とで、両側と中間部が挟持された用紙１４は、用紙ガイド２上を、図１中、右から左に移動する。一方、コントローラの制御によって記録ヘッド４６が、Ｙレール４２に沿って、プラテン６上を、用紙１４を横切る方向（Ｙ軸方向）に往復駆動され、記録ヘッド４６によって、用紙１４に印字作画が行われる。図１に示す記録装置は、Ｙレールに沿ってＹ軸方向に移動する短い記録ヘッドを用いているが、Ｙ軸方向に延びる一列状の長い固定式のライン型記録ヘッドを用いても良く、該ライン型記録ヘッドによって印字媒体にＹ軸方向に印字を行う記録装置にも本発明を応用することができる。
また、プラテン支持体に支持されるプラテンブロックを、ガイド体の円弧面の案内により、Ｙ軸に対して垂直な平面に沿って回動可能とする平行度調整機構は、図１に示す実施形態に特に限定されるものではない。図５は、平行度調整機構の他の実施形態を示し、５８はプラテンブロックであり、その平板部５８ａに直角に垂下部５８ｂが形成されている。前記垂下部５８ｂの側面には、凹曲面から成る係合部６０が形成され、該係合部６０は、プラテン支持体６２に固着された半円柱体から成るガイド体６４の円弧状の案内面と同一の曲率に設定されている。
【００１２】
前記係合部６０は、前記ガイド体６４にスライド自在に嵌合している。前記プラテンブロック５８の係合部６０の側方には長穴６６が穿設され、該長穴６６は、垂下部５８ｂの側面に形成された、前記ガイド体６０の円弧面と同一曲率の曲面部６８に開口している。前記長穴６６には、キャップねじ７０が挿入され、該キャップねじ７０のねじ部は前記ガイド体６４に穿設されたねじ穴７２に螺合している。前記プラテン支持体６２と基台７４との間には、長穴７６と、ねじ穴７８と、固定ねじ８０とから成る高さ調整機構が設けられている。この高さ調整機構は図１に示す高さ調整機構と同一の構成となっている。前記基台７４は、図１に示すベース材１３に固定されている。本実施形態の他の構成は、図１に示す実施形態と同一である。
【００１３】
上記した構成において、キャップねじ７０を緩めると、プラテンブロック５８は、ガイド体６４の案内面に倣って、Ｙ軸に対して垂直な平面に沿って回動可能な状態となる。該状態で、プラテンブロック５８を回動し、その平板部の用紙搬送方向に沿ったラインＬ２を、記録ヘッド４６の下面の、用紙搬送方向に沿ったラインＬ１に対して平行に設定し、キャップねじ７０をねじ穴７２にねじ込んで、該プラテンブロック５８を、プラテン支持体６２に固定する。図６は、プラテンブロック８２側に半円柱体のガイド体８４を固設し、プラテン支持体８６側に、ガイド体８４の案内面と同一曲率の凹曲面から成る係合部８６を形成した平行度調整機構を示している。図中、８８は長穴、９０はねじ穴、９２はキャップねじである。プラテン支持体８６と基台７４間の高さ調整機構は、図５に示す実施形態と同一である。尚、上記実施形態はいずれも、係合部２４，６０，８６を凹曲面状に形成したものであるが、図７に示すように、係合部９４を断面横コ字状に形成し、この嵌合凹部に半円柱体のガイド体２２の案内面を線接触状態で嵌合するようにしても良い。図７中、係合部９４以外の他の構成は、図３に示す実施形態と同一であり、同一部分には同一の符号を付して対応関係を示している。
【００１４】
図８はプラテン支持装置の他の実施形態を示すものであり、プラテンブロック６ａとプラテン支持体１６との対向面間に、Ｙ軸に平行に丸棒９６が配置され、該丸棒９６がプラテン支持体１６側にねじ９８により固定されている。この丸棒９６はガイド体を構成し、その周面に、プラテンブロック６ａの係合部２４が嵌合している。当該実施形態において、長穴２６に挿入配置されたキャップねじ２８は、丸棒９６に穿設されたねじ穴３０に螺合している。長穴２６は、プラテンブロック６ａの上面に形成された、丸棒９６の案内面と同一曲率の曲面部２７に開口し、長穴２６に挿入されたキャップねじ２８のキャップ部分は、前記曲面部２７に圧着している。
【００１５】
上記した構成において、キャップねじ２８を緩めると、プラテンブロック６ａは、丸棒９６の案内面に倣って、Ｙ軸に対して垂直な平面に沿って回動可能な状態となる。該状態で、プラテンブロック６ａを回動し、その平板部５８ａの用紙搬送方向Ｘに沿ったラインＬ２を、記録ヘッド４６の下面の、用紙搬送方向Ｘに沿ったラインＬ１に対して平行に設定し、しかる後に、キャップねじ２８をねじ穴９０にねじ込んで、該プラテンブロック６ａを、プラテン支持体１６に固定する。なお、プラテンブロックを任意の傾斜角度でプラテン支持体に固定するプラテン固定機構は、ガイド体に設けた図示する実施形態に特に限定されるものではなく、プラテンブロックとプラテン支持体間の任意の箇所に設けることができる。
【００１６】
【発明の効果】
本発明は、上述の如く構成したので、簡単な構成でプラテンの傾きを、記録ヘッド下面に対して簡単に調整することができる。
【図面の簡単な説明】
【図１】記録装置の側面断面図である。
【図２】プラテンの平面図である。
【図３】プラテン支持装置の分解斜視図である。
【図４】プラテン支持装置の正面図である。
【図５】プラテン支持装置の他の実施形態を示す断面図である。
【図６】プラテン支持装置の他の実施形態を示す断面図である。
【図７】プラテン支持装置の他の実施形態を示す断面図である。
【図８】プラテン支持装置の他の実施形態を示す断面図である。
【符号の説明】
２      用紙ガイド
４      前方ガイド脚台
６      プラテン
８      後方ガイド
１０    下部基板
１２    凸条
１４    用紙
１６    プラテン支持体
１８    平板部
２０    垂直部
２２    ガイド体
２４    係合部
２６    長穴
２７    曲面部
２８    キャップねじ
３０    ねじ穴
３２    固定ねじ
３４    長穴
３６    基台
３８    ベース材
４０    ねじ穴
４２    Ｙレール
４４    担体
４６    記録ヘッド
４８    駆動ローラ
５０    加圧ローラ
５２    揺動アーム
５４    軸
５６    ばね
５８    プラテンブロック
６０    係合部
６２    プラテン支持体
６４    ガイド体
６６    長穴
６８    曲面部
７０    キャップねじ
７２    ねじ穴
７４    基台
７６    長穴
７８    ねじ穴
８０    固定ねじ
８２    プラテンブロック
８４    ガイド体
８６    係合部
８８    長穴
９０    ねじ穴
９２    キャップねじ
９４    係合部
９６    丸棒
９８    ねじ
【図１】
2004330578.tif 000003
【図２】
2004330578.tif 000004
【図３】
2004330578.tif 000005
【図４】
2004330578.tif 000006
【図５】
2004330578.tif 000007
【図６】
2004330578.tif 000008
【図７】
2004330578.tif 000009
【図８】
2004330578.tif 000010